(57)【要約】 【課題】  着脱が容易で、圧迫感のない快適な着用感があるジャージー又はフリース生地製の首と頬を保温する就寝時用ネックウォーマーを提供すること。【解決手段】  就寝時用ネックウォーマー１は、被りタイプの保持着１０に綿ジャージーの布製円筒状体２０を縫い付け、且つ、前記布製円筒状体２０の上端部に一対の耳掛け部２３，２３を形成して構成されたものである。綿ジャージーの布製円筒状体２０は、その上側が耳掛け部２３，２３に掛けられた利用者２の両耳３，３によって保持され、且つ、その下側が被りタイプの保持着１０を着用した利用者２の上半身で保持されている。【選択図】  図３
2009121010.tif 000002
【特許請求の範囲】
【請求項１】
生地の高い伸縮性によって利用者の首に密着して使用することが不可能なサイズのジャージー又はフリースの布製円筒状体で首と頬を保温する就寝時用ネックウォーマーであって、前記布製円筒状体の下端部の開口端には被りタイプの保持着の襟ぐりが結合されており、且つ前記布製円筒状体の上端部には一対の耳掛け部が設けられていることを特徴とする首と頬を保温する就寝時用ネックウォーマー。
【請求項２】
前記布製円筒状体は、綿ジャージー生地を二重にして製作されたものであることを特徴とする首と頬を保温する就寝時用ネックウォーマー。
【請求項３】
前記布製円筒状体は利用者の肩から耳付近までの長さを有するものであって、利用者の首回りより３割から５割程度大きな筒状の首カバー部と、その大径開口部の開口回りが利用者の頭回りと同程度又は１割から２割程度大きな漏斗状の頬カバー部とからなるものであることを特徴とする請求項１又２に記載の首と頬を保温する就寝時用ネックウォーマー。
【請求項４】
前記耳掛け部は、前記布製円筒状体の上端部に形成された切り込みであることを特徴とする請求項１に記載の首と頬を保温する就寝時用ネックウォーマー。
【請求項５】
前記耳掛け部は、前記布製円筒状体の上端部に取り付けられた耳掛け紐であることを特徴とする請求項１に記載の首と頬を保温する就寝時用ネックウォーマー。
【発明の詳細な説明】
【技術分野】
【０００１】
本発明は、ジャージー又はフリースの布製円筒状体を備えた被りタイプの就寝時用ネックウォーマーに関し、特に布製円筒状体の型崩れと着用の位置ずれ防止に関する。
【背景技術】
【０００２】
風邪の予防などを目的として、就寝時に冷気から首と頬を保温すると共に鼻や喉の乾燥を防止する最も一般的な方法は、冬用のハイネックパジャマを着込み、首にはハンカチや手拭いを巻き、顔には口を覆うマスクを着用して就寝するものである。しかしながら、この方法は結構面倒であるだけでなく、巻いたハンカチや手拭い、着用したマスクが就寝中に外れるという問題がある。
【０００３】
冬用のハイネックパジャマは、一般に、比較的厚手のメリヤス生地で作られたパジャマ本体に、同じ生地で作られたハイネック襟が縫い付けられて構成されている。そして、前記ハイネック襟は首回りと同じか１割程度で且つ首の半分から３分の２ぐらいの長さである。このような形状とサイズにすることによって、ある程度の首の保温効果が得られる。しかしながら、前記ハイネックパジャマは、風邪の予防に効果的と言われている喉首の保温ができないし、当然ながら頬の保温ができないものである。
【０００４】
利用者の首回りと同程度で頭までの長さ程度のサイズのタートルネック襟を有するウールのタートルネックセーター、及び同程度のサイズのタートルネック襟を有する綿ジャージーのタートルネックインナーウエアが市販され、広く利用されている。これらは、タートルネック襟を二つ折り又は三つ折にして着用されるものであるが、生地の高い伸縮性によってタートルネック襟は利用者の首に密着し、着用位置に確実に保持される。タートルネックセーターもタートルネックインナーウエアも、寒い時期の昼間の衣服としては快適であるが、首への圧迫感があること、及び保温効果が大き過ぎることの理由で就寝時用保温着には適したものではない。
【０００５】
毛糸のネックウォーマーも様々なものが市販されている。この市販のネックウォーマーは、利用者の首回りと同程度で、首の長さ程度のサイズの布製円筒状体からなるもので、生地の高い伸縮性によって前記布製円筒状体を利用者の首に密着させ、これによってネックウォーマーを着用位置に保持するものである。しかしながら、この市販の毛糸のネックウォーマーは、首への圧迫感があること、及び保温効果が大き過ぎることの理由で就寝時用ネックウォーマーには適さないものである。実用新案登録第３１０５９７８号公報（特許文献１）、実用新案登録第３１０５２７１号公報（特許文献２）、実用新案登録第３０９９４６０号公報（特許文献３）に開示されているネックウォーマーも、同様の理由から、就寝時用ネックウォーマーとしては殆ど利用されていないようである。
【０００６】
また、特開平９−２０１２６５号公報（特許文献４）に開示されているウエットスーツの如き装身寝具、実開平６−８３７１８号公報（特許文献５）に開示されている着脱用の面ファスナーが取り付けられている安眠寝巻、特開２００６−３２８６１６号公報（特許文献６）に開示されている頭部フードは、首及び頬の保温効果は認められるものの、いずれも快適な着心地が得られそうにないので、就寝時用保温着又は保温具としては実用的ではない。
【特許文献１】実用新案登録第３１０５９７８号公報
【特許文献２】実用新案登録第３１０５２７１号公報
【特許文献３】実用新案登録第３０９９４６０号公報
【特許文献４】特開平９−２０１２６５号公報
【特許文献５】実開平６−８３７１８号公報
【特許文献６】特開２００６−３２８６１６号公報
【発明の開示】
【発明が解決しようとする課題】
【０００７】
上述の状況に鑑み、本発明者はいくつもの就寝時用ネックウォーマーを試作した結果、素材は肌着やインナーウエアの生地である一般的な綿又は綿混紡のジャージー生地が適していること、及び、構造は頭回りと同程度の筒周り即ち太さで、且つ首の付け根から耳付近までの長さの布製円筒状体とすることがよいという事実に気づいた。そこで、この事実に基づいて、頭回りと同程度の筒回りで且つ首の付け根である肩から耳付近までの長さの綿ジャージーの布製円筒状体を試作した。この試作品の綿ジャージー製筒状体は、市販のネックウォーマーよりも一回り大きな布製円筒状体であるので、就寝時に利用者の首と頭部の下半分を全てカバーする。しかも、この試作品は、生地の高い伸縮性によって利用者の首に密着して使用される市販のネックウォーマーと異なり、圧迫感のない快適な着用感が得られる。即ち、この試作品の綿ジャージー製筒状体は、後頭部を除く利用者の顔の下半分と首に柔らかく接触し、これらの部位をカバーして冷気から遮断するので、首と頬を保温する就寝時用ネックウォーマーとして機能するものであった。
【０００８】
ところで、一般的な利用者の首回りは３５ｃｍから４５ｃｍ程度であるのに対して、頭回りは５５ｃｍから６５ｃｍ程度である。従って、頭回りと同程度の筒回りで且つ首の付け根から耳付近までの長さの綿ジャージーの布製円筒状体からなる試作品の就寝時用ネックウォーマーは、生地の高い伸縮性を利用して首に密着させて着用位置を保持することは不可能である。このため、この試作品の就寝時用ネックウォーマーの着用位置の保持は、就寝中の利用者の後頭部で布製円筒状体の一部を枕に押し付けて行うことになる。しかしながら、このような着用位置の保持方法では、布製円筒状体は型崩れし、保温すべき部位である首の所定の着用位置からずれてしまう。従って、試作品の就寝時用ネックウォーマーは、その布製円筒状体の型崩れと着用位置のずれを防止できないという問題を有する。
【０００９】
そこで、本発明が解決しようとする第１の課題は、着脱が容易で、圧迫感のない快適な着用感があるジャージー又はフリース生地製の首と頬を保温する就寝時用ネックウォーマーを提供することである。
本発明が解決しようとする第２の課題は、生地の高い伸縮性によって利用者の首に密着して使用することが不可能なサイズのジャージー又はフリースの布製円筒状体で首と頬を保温する就寝時用ネックウォーマーにおいて、着用時の布製円筒状体の型崩れと着用位置ずれを防止することである。
【課題を解決するための手段】
【００１０】
上記課題を解決するために、生地の高い伸縮性によって利用者の首に密着して使用することが不可能なサイズのジャージー又はフリースの布製円筒状体で首と頬を保温する就寝時用ネックウォーマーにおいて、前記布製円筒状体の上端部と下端部を利用者の身体の一部を利用して上側と下側でそれぞれ保持するようにした。即ち、前記布製円筒状体の上端部に一対の耳掛け部を設け、この耳掛け部に利用者の両耳を係止させることによって、前記布製円筒状体を利用者の両耳を利用して上側で保持するようにした。同時に、前記布製円筒状体の下端部の開口端を被りタイプの保持着の襟ぐりに結合し、この保持着を着用した利用者の上半身を利用して前記布製円筒状体を下側で保持するようにした。
【発明の効果】
【００１１】
本発明により、着脱が容易で、圧迫感のない快適な着用感があり、しかも着用時の型崩れと位置ずれが生じ難い就寝時用ネックウォーマーが提供された。
また、本発明により、首の保温だけでなく両頬の保温並びに保湿ができる就寝時用ネックウォーマーが提供された。
更にまた、本発明により、様々なサイズの就寝時用ネックウォーマーを低価格で提供することが可能になった。
【発明を実施するための最良の形態】
【００１２】
本発明の就寝時用ネックウォーマーは、生地の高い伸縮性によって利用者の首に密着して使用することが不可能なサイズのジャージーやフリースの布製円筒状体で首と頬を保温する就寝時用ネックウォーマーである。前記布製円筒状体は利用者の肩から耳付近までの長さであって、その下端部は被りタイプの保持着の襟ぐりに縫い付けて結合されており、更にその上端部には一対の耳掛け部が設けられているものである。
【実施例１】
【００１３】
実施例１の就寝時用ネックウォーマー１は、図１の正面図と図２の背面図に示す如く、綿ジャージーの布製円筒状体２０を被りタイプの保持着１０の襟ぐり１２に縫い付けて構成されたものである。
【００１４】
綿ジャージーの布製円筒状体２０は、図１の正面図と図２の背面図から理解されるように、立体裁断された前側布片２０ａと後側布片２０ｂを縫い合わせて製作されている。布製円筒状体２０は、顎下までの首を覆う筒状の首カバー部２１と顎下から耳付近まで延伸した筒状の頬カバー部２２とで構成されている。
【００１５】
筒状の首カバー部２１の筒回りは、筒状の頬カバー部２２の筒回りと同じである。また、筒状の首カバー部２１の長さは、利用者の首の長さ、即ち顎下から首の付け根までの長さ程度である。また、筒状の頬カバー部２２の筒回りは、利用者２の頭回りと同程度又は１割か２割程度大きなサイズである。更に、筒状の頬カバー部２２の長さは、利用者２の顎下から耳付近までの長さである。要するに、実施例２において、布製円筒状体２０はその筒回りは利用者２の頭回りと同程度又は１割か２割程度大きく、その長さは利用者の首の付け根又は肩から耳付近までの長さのものである。
【００１６】
筒状の頬カバー部２２の端部、従って綿ジャージーの布製円筒状体２０の上端部には一対の耳掛け部２３，２３が形成されている。耳掛け部２３，２３は、筒状の頬カバー部２２の生地に形成された横長の切り込みであるが、縦長の切り込み、縦又は横の楕円形耳掛け穴、Ｕ字状の耳掛け紐、帯状ゴム紐の耳掛けなど、機能性とファッション性に基いて適切なものが選ばれるものである。
【００１７】
上述の如く製作され且つその上端部に一対の掛け部２３，２３が形成された綿ジャージーの布製円筒状体２０の下端部の開口端に、被りタイプの保持着１０の襟ぐり１２を縫い付けて結合すれば、就寝時用ネックウォーマー１が完成する。従って、実施例１の就寝時用ネックウォーマー１は構成及び製作工程は簡単なので、低コストで製作できる。
【００１８】
実施例１の就寝時用ネックウォーマー１を利用者２が着用すると、図３の正面から見た斜視図と図４の右側から見た斜視図に示す如くとなる。これらの図は、利用者２が起き上がっているときの着用状態であるが、綿ジャージーの布製円筒状体２０は、利用者２の首から顔の大部分を密着しないでカバーし、同時に両耳付近、鼻、顎などの顔の数箇所に部分的に軽く密着しながら頭部のほぼ下半分を覆っていることが理解されるであろう。また、就寝時用ネックウォーマー１は非常にゆったりしたサイズであるため、利用者２が布団やベッドに仰向けに寝たときには、首の前の部分に布製円筒状体２０が垂れ下がってきて軽く触れるようになることも理解されるであろう。従って、通常の使用状態では綿ジャージーの布製円筒状体２０は就寝時に型崩れすることも着用の位置ずれすることもない。
【図面の簡単な説明】
【００１９】
【図１】実施例１の就寝時用ネックウォーマーの正面図である。
【図２】実施例１の就寝時用ネックウォーマーの背面図である。
【図３】実施例１の就寝時用ネックウォーマーを着用し、起き上がっているときの利用者を正面から見た斜視図である。
【図４】実施例１の就寝時用ネックウォーマーを着用し、起き上がっているときの利用者を右側から見た斜視図である。
【符号の説明】
【００２０】
１  就寝時用ネックウォーマー
２  利用者
３  耳
１０  保持着
１１  保持着本体
１２  襟ぐり
１３  袖ぐり
２０  布製円筒状体
２１  首カバー部
２２  頬カバー部
２３  耳掛け部
【図１】
2009121010.tif 000003
【図２】
2009121010.tif 000004
【図３】
2009121010.tif 000005
【図４】
2009121010.tif 000006